(57)【要約】【課題】  ユーザデバイス５０やユーザＭの状況に応じてコンテンツを送信して、コンテンツが適切な態様でユーザに提供されることを実現する。【解決手段】  ユーザＭが操作部５６から自己の状況やユーザデバイス５０の状況を入力し、或いは、センサ５７からユーザ状況や当該デバイス状況を検出して、これら状況を管理装置３０に通知する。管理装置３０は、通知されたユーザ状況やデバイス状況を状況管理部３３に記録管理し、送信対象のコンテンツが入力されると、送信制御部３２が状況管理部３３に記録された状況に基づいてパターンテーブル３４を参照して、当該コンテンツをユーザ状況やデバイス状況に適切な態様としてユーザデバイス５０へ転送送信する。【選択図】  図３
2006065600.tif 000002
【特許請求の範囲】
【請求項１】
データ通信機能と受信したデータを出力する出力機能とを有するデバイスに、管理装置による管理下でコンテンツを送信して出力させるコンテンツ提供システムであって、
前記デバイスは、
当該デバイスを使用するユーザの状況を通知する機能を有し、
前記管理装置は、
前記通知に基づいて前記デバイスへのコンテンツ送信を制御する送信制御機能を有していることを特徴とするコンテンツ提供システム。
【請求項２】
請求項１に記載のコンテンツ提供システムにおいて、
前記送信制御機能は、コンテンツを送信するタイミングを制御する処理を行うことを特徴とするコンテンツ提供システム。
【請求項３】
請求項１に記載のコンテンツ提供システムにおいて、
前記送信制御機能は、コンテンツの送信を規制する処理を行うことを特徴とするコンテンツ提供システム。
【請求項４】
データ通信機能と受信したデータを出力する出力機能とを有するデバイスに、管理装置による管理下でコンテンツを送信して出力させるコンテンツ提供システムであって、
前記デバイスは、
当該デバイスが置かれた状況を通知する機能を有し、
前記管理装置は、
前記通知に基づいて前記デバイスへのコンテンツ送信を制御する送信制御機能を有していることを特徴とするコンテンツ提供システム。
【請求項５】
データ通信機能と受信したデータを出力する出力機能とを有するデバイスに、管理装置による管理下でコンテンツを送信して出力させるコンテンツ提供システムであって、
前記デバイスは、
当該デバイスが置かれた状況と当該デバイスを使用するユーザの状況を通知する機能を有し、
前記管理装置は、
前記通知に基づいて前記デバイスへのコンテンツ送信を制御する送信制御機能を有していることを特徴とするコンテンツ提供システム。
【請求項６】
請求項５に記載のコンテンツ提供システムにおいて、
前記デバイスが置かれた状況は、デバイスと当該デバイスを使用するユーザとの位置関係であることを特徴とするコンテンツ提供システム。
【請求項７】
請求項５に記載のコンテンツ提供システムにおいて、
前記ユーザが使用するデバイスは複数備えられ、
前記デバイスが置かれた状況は、複数のデバイス間の位置関係であることを特徴とするコンテンツ提供システム。
【請求項８】
請求項５に記載のコンテンツ提供システムにおいて、
前記ユーザが使用するデバイスは複数備えられ、
前記送信制御機能は、複数のデバイスからコンテンツを送信するデバイスを選択する処理を行うことを特徴とするコンテンツ提供システム。
【請求項９】
請求項８に記載のコンテンツ提供システムにおいて、
前記送信制御機能は、更に、選択したデバイスに適合する形式にコンテンツを加工する処理を行うことを特徴とするコンテンツ提供システム。
【請求項１０】
請求項８に記載のコンテンツ提供システムにおいて、
前記送信制御機能は、更に、コンテンツを選択したデバイスに分割する処理を行うことを特徴とするコンテンツ提供システム。
【請求項１１】
請求項８に記載のコンテンツ提供システムにおいて、
前記送信制御機能は、コンテンツを送信するタイミングを制御する処理を行うことを特徴とするコンテンツ提供システム。
【請求項１２】
請求項８に記載のコンテンツ提供システムにおいて、
前記送信制御機能は、コンテンツの送信を規制する処理を行うことを特徴とするコンテンツ提供システム。
【請求項１３】
データ通信機能と受信したデータを出力する出力機能とを有するデバイスへのコンテンツ送信を管理する管理装置であって、
前記デバイスから通知された当該デバイスを使用するユーザの状況に基づいて、当該デバイスへのコンテンツ送信を制御する送信制御機能を有していることを特徴とする管理装置。
【請求項１４】
データ通信機能と受信したデータを出力する出力機能とを有するデバイスへのコンテンツ送信を管理する管理装置であって、
前記デバイスから通知された当該デバイスが置かれた状況に基づいて、当該デバイスへのコンテンツ送信を制御する送信制御機能を有していることを特徴とする管理装置。
【請求項１５】
データ通信機能と受信したデータを出力する出力機能とを有するデバイスへのコンテンツ送信を管理する管理装置であって、
前記デバイスから通知された当該デバイスが置かれた状況と当該デバイスを使用するユーザの状況に基づいて、当該デバイスへのコンテンツ送信を制御する送信制御機能を有していることを特徴とする管理装置。
【請求項１６】
データ通信機能と受信したデータを出力する出力機能とを有するデバイスが、管理装置に  当該デバイスを使用するユーザの状況を通知し、
前記管理装置が、前記通知に基づいて前記デバイスへのコンテンツ送信を制御することを特徴とするコンテンツ提供方法。
【請求項１７】
データ通信機能と受信したデータを出力する出力機能とを有するデバイスが、管理装置に  当該デバイスが置かれた状況を通知し、
前記管理装置が、前記通知に基づいて前記デバイスへのコンテンツ送信を制御することを特徴とするコンテンツ提供方法。
【請求項１８】
データ通信機能と受信したデータを出力する出力機能とを有するデバイスが、管理装置に  当該デバイスが置かれた状況と当該デバイスを使用するユーザの状況を通知し、
前記管理装置が、前記通知に基づいて前記デバイスへのコンテンツ送信を制御することを特徴とするコンテンツ提供方法。
【発明の詳細な説明】
【技術分野】
【０００１】
本発明は、データ通信機能と受信したデータを出力する出力機能とを有する情報処理デバイスへコンテンツを送信する技術に関し、特に、デバイスや当該デバイスを使用するユーザの状況に応じてコンテンツ送信を制御する技術に関する。
【背景技術】
【０００２】
コンテンツには、ネットワーク上のサーバから取得するテキストや画像と言った情報の他に、ネットワークを通して送信される電子メール等と言った種々な情報がある。
このようなコンテンツは、有線又は無線のネットワークを介して、パーソナルコンピュータ、ＰＤＡ、携帯電話、プリンタ等といったデータ通信機能を有するデバイスで受信され、当該デバイスによって画面表示や媒体への印刷と言った方法で出力されてユーザの閲覧に供されている。
【０００３】
近年では、データ通信機能と受信したデータを出力する出力機能とを有する電子ペーパーが開発されている。この電子ペーパーは、上記のようなデバイスとして使用することができ、コンテンツを無電源状態で表示保持することができ且つ用紙の如く薄型で持ち運び自在であるという利点があり、コンテンツを印刷した用紙の如く使用することができる。
【０００４】
ここで、このような通信機能と出力機能とを備えたデバイスに関して、電子ペーパーを電子ペーパーファイルに着脱可能とし、着脱状態に応じて表示部への画像の表示処理を行う発明が提案されている（特許文献１参照。）。
また、予め関連付けた複数のデータを複数の電子ペーパーへ無線送信して、各電子ペーパーで画像を表示させる発明が提案されている（特許文献２参照。）。
【０００５】
また、送信用電子ペーパーと受信用電子ペーパーとを電子ペーパーファイルに装着して、電子ペーパー間でコンテンツを送信する発明が提案されている（特許文献３参照。）。
また、複数の電子ペーパーを装着することができるファイル装置から、各電子ペーパーへデータを無線して表示させる発明が提案されている（特許文献４参照。）。
また、ユーザの行動範囲に設けられた書き込み装置により、電子ペーパー等の表示装置を保持したユーザが書き込み装置近傍を通過する毎に表示装置が表示する内容を更新する発明が提案されている（特許文献５参照。）。
【特許文献１】特開２００１―３１２２２７号公報
【特許文献２】特開２００２―９１７４９号公報
【特許文献３】特開２００２―３００３３３号公報
【特許文献４】特開２００３―２２２５７号公報
【特許文献５】特開２００２―２４８６５号公報
【発明の開示】
【発明が解決しようとする課題】
【０００６】
上記のようなデバイスを利用することによりユーザは種々なコンテンツを取得して閲覧することができ、しかも、無線通信機能を有した携帯可能なデバイスを用いることにより、ユーザは場所を選ぶことなく迅速にコンテンツを取得して閲覧することができる。
一方、ユーザや当該ユーザが使用するデバイスの状況がコンテンツを取得したり出力するに適当でない場合がある。例えば、不特定多数の人がユーザやデバイスの周囲に居る状況では機密性の高い情報を閲覧するのは適当でなく、また、ユーザが表示能力が低いデバイスしか携帯していない場合に当該デバイスで大きなサイズの画像情報を閲覧するのは適当でないと言った事情がある。
【０００７】
すなわち、デバイスや当該デバイスを使用するユーザの状況は変動するため、デバイスに対してコンテンツを単純に送信する従来の方法にあっては、コンテンツの機密性管理が図られない、ユーザが利用し易い態様でコンテンツを提供することができない、ユーザが確実且つ迅速に知覚できる態様でコンテンツを提供することができない等といった課題があった。
本発明は、上記従来の事情に鑑みなされたもので、コンテンツを適切な態様でデバイスに送信することにより、上記課題を合理的に解決することを目的としている。
【課題を解決するための手段】
【０００８】
本発明は、データ通信機能と受信したデータを出力する出力機能とを有するデバイスが管理装置に当該デバイスを使用するユーザの状況又は当該デバイスが置かれた状況を通知し、管理装置が当該通知に基づいて当該デバイスへのコンテンツ送信を制御する。
したがって、管理装置は、常時、定期的、必要時等と言った適当な時期に、デバイスからユーザの状況又は当該デバイスが置かれた状況が通知され、これら状況に応じた態様で当該デバイスへコンテンツを送信して出力させる。
【０００９】
ここで、デバイスを使用するユーザの状況としては、例えば、ユーザが車内や会議室に居るといった場所に関する状況、ユーザが運転中や歩行中と言った動作に関する状況、ユーザの周りに不特定多数の人が居ると言った周囲環境に関する状況、ユーザ側での時間といった時間に関する状況等が採用される。
【００１０】
また、デバイスが置かれた状況としては、デバイスが放置されているやかばんの中にあると言った場所或いは周囲環境に関する状況、デバイスと当該デバイスを使用するユーザとの位置関係に関する状況、ユーザが使用するデバイスは複数ある場合にはこれらデバイス間の位置関係に関する状況等が採用される。
【００１１】
なお、これらデバイスを使用するユーザの状況やデバイスが置かれた状況は、デバイスがユーザの状況や自らの状況をセンサで検出して管理装置に通知するようにしてもよく、或いは、ユーザがデバイスを操作して自らの状況やデバイスの状況を管理装置に通知するようにしてもよい。
また、これらの情報は、常時もしくは定期的に通知されてもよいが、センサなどで状態の変化を検知したときや、デバイスがユーザの近くにあって、読まれる可能性のあるとき、というような特定の条件を満たすときのみ通知する、というのでもよい。
さらに、管理装置の側から情報をデバイスに送信したい場合、管理装置側からの要求にこたえる形で、デバイスやユーザの状況を管理装置に通知するのでもよい。
【００１２】
コンテンツ送信の制御は、コンテンツを適切な態様でデバイスに送信して出力させる処理であり、例えば、コンテンツの送信時期を遅らせると言ったようにタイミングを制御する、コンテンツの送信をキャンセルすると言ったように送信を規制する、複数のデバイスからコンテンツを送信するデバイスを選択する、選択したデバイスに適合する形式にコンテンツを加工する、コンテンツを選択したデバイスに分割する等が採用される。
【発明の効果】
【００１３】
本発明によると、デバイスや当該デバイスを使用するユーザの状況に応じてコンテンツが送信されるため、コンテンツが適切な態様でユーザに提供されて利用される。
これにより、コンテンツの機密性管理や、ユーザが利用し易い態様でのコンテンツ提供や、コンテンツを確実且つ迅速にユーザに提供することが実現される。
【発明を実施するための最良の形態】
【００１４】
本発明を実施例に基づいて具体的に説明する。
図１には、本発明の一例に係るコンテンツ提供システムの全体構成を示してある。
本例のコンテンツ提供システムは、管理装置３０とユーザＭが使用する１つ又は複数のデバイス５０とを有線又は無線のネットワークＮで接続し、ネットワークＮを通してユーザデバイス５０へ送信するコンテンツを管理装置３０が仲介して送信制御処理を施すものである。
なお、コンテンツは、例えば、ネットワークＮ上のコンテンツサーバから送信される情報や、ネットワークＮ上のメールサーバから送信される電子メールである。
【００１５】
ユーザデバイス５０はユーザＭが使用する電子機器であり、図２に示すように、受信コンテンツを画面に表示出力するノート型やデスクトップ型のパーソナルコンピュータＰＣ、受信コンテンツを画面に表示出力する携帯電話ＰＦ、受信コンテンツを用紙等の記録媒体に印刷して出力するプリンタＰＴ、受信コンテンツを表示部に無電源状態で表示保持させる電子ペーパーＥＰ等である。
これらユーザデバイス５０は、後述するように、ネットワークＮを介して管理装置３０とデータ通信を行う機能と、管理装置３０から受信したコンテンツを出力する機能とを有しており、更に、本発明に係る処理を実行するための機能手段を有している。
【００１６】
ここで、データ通信機能を有したパーソナルコンピュータＰＣ、携帯電話ＰＦ、プリンタＰＴ等のユーザデバイスは既に公知の通りの基本構成を有したものであるが、本例で用いる電子ペーパーＥＰについて図７〜図９に示す例を参照して説明する。
図示の電子ペーパーＥＰは、コンテンツデータに基づいて自らで表示部２にコンテンツを書き込んで表示保持する自己書き込み型であり、電子ペーパーと称せられるように紙の様に薄型の装置である。
なお、下記に説明する電子ペーパーＥＰの諸機能は、後述する本発明を実施するユーザデバイス５０の態様に応じて取捨選択して電子ペーパーＥＰに備えればよい。
【００１７】
図７（ａ）には自己書き込み型電子ペーパーＥＰを正面視して示し、同図（ｂ）には当該電子ペーパーＥＰを側面視で示してある。電子ペーパーＥＰはコンテンツ画像を表示保持する表示部２と本発明に係る通信や種々な処理を司る処理部３とを有しており、同図（ａ）には処理部３に内蔵されている諸機能部も表してある。
電子ペーパーＥＰは、例えば、Ａ４版の用紙のような大きさのフレキシブルな薄型表示装置であり、大部分の面積を占める表示部２の一片に処理部３が設けられている。なお、表示部２の大きさは用途に応じた大きさのものとされ、後述するように表示部２と処理部３とを着脱可能とした構成とすることもできる。
【００１８】
処理部３には、表示部２を駆動するドライバ４、データを無線通信するための通信部５、電子データを読み書き自在に保持するメモリ６、本発明に係る種々な処理を司るプロセッサ７、通信部５やプロセッサ７等の駆動電力を供給するバッテリ８、ユーザ操作入力を受け付けるボタン等の操作部９が設けられている。
電子ペーパーＥＰは、外部の無線通信機能を有する装置と通信部５で無線通信することにより、メモリ６に記憶する電子データ（コンテンツデータ）を送受信し、また、これら電子データをメモリ６に保持することができる。
【００１９】
電子ペーパーＥＰは、メモリ６に保持したコンテンツ等のデータに基づいてドライバ４が表示部２に画像を書き込むことことができ、ドライバ４の駆動電力を除去しても表示部２に画像情報を表示状態で保持し続ける機能を有している。
電子ペーパーＥＰは、表示部２の断面構造を表す図９に示すように、複写機にトナーとして利用されている微細な着色粒子（図示の例では、白色粒子１１と黒色粒子１２）を少なくとも表面側が透明な表裏一対の電極１３間に封入し、これを少なくとも表面側が透明な表裏一対のフィルム基板１４で挟んだ構造となっている。着色粒子１１、１２が自由に移動できるように電極層１３間は空気層となっており、また、マトリックス状の電極層１３には着色粒子１１、１２との接触を防止する絶縁層１５が設けられている。なお、カラーフィルターを用いることにより、簡単な構造でカラー表示を実現することも可能である。
【００２０】
そして、電子ペーパーＥＰは、表示部２の動作原理を表す図８に示すように、電極１３に電圧を印加していない状態（但し、電極１３は前回の駆動時の極性に帯電している）では、負（マイナス）に帯電した白色粒子１１は裏面側に溜まる一方、正（プラス）に帯電した黒色粒子１２は表面側に溜まり、表示部２を表面側から目視すると表示部２は黒色な状態となる。そして、メモリ６に記憶されたデータに基づいてドライバ４が動作して表示する画像情報に応じたマトリックスの所要部の電極極性を反転させると、白色粒子１１と黒色粒子１２との位置関係が入れ替わって、表示部２に白色粒子１１と黒色粒子１２とのコントラストによるコンテンツ画像が表示される。
なお、異なるデータに基づいてドライバ４を動作させることにより、白色粒子１１と黒色粒子１２とのコントラストにより表示部２に表示される画像情報を切り換える（すなわち、前の画像を消去する）ことができ、幾度も再使用することができる。
【００２１】
したがって、電子ペーパーＥＰは、紙のように薄く柔軟である性質に加えて、表示部２に表示した画像情報を無電源保持する性質があるので、あたかも用紙の如く用いることができる携帯可能なデバイスである。更に、本例の自己書き込み型電子ペーパーＥＰは、無線通信機能、メモリ機能、制御処理機能等を備えることができるので、後述するように本発明に係る処理を行うことができる。
なお、電子ペーパーＥＰにドキュメントを表示保持させる管理装置３０は、コンテンツデータを無線送信する通信機能を有しており、電子ペーパーＥＰへコンテンツデータを無線送信してメモリ６に保持させ、ドライバ４により表示部２にコンテンツ画像を書き込ませる。
【００２２】
ここで、通信部、プロセッサ、メモリ等といった処理部３の機能部を選択的に収めた付加装置（クリップ）を構成して、当該クリップを電子ペーパーＰＥに着脱可能に接続して設けるようにしてもよい。
【００２３】
また、本発明は、種々な形式の自己書き込み型電子ペーパーも勿論用いることができ、例えば、外部の書き込み装置に装填して表示部に自己書き込み型のように電子的に画像情報を書き込む形式であってもよい。すなわち、上記の自己書き込み型電子ペーパーは外部の画像書き込み装置を要しない形式の電子ペーパーの一例であるとも言える。
また、電子ペーパーＥＰの表示部２としては、強誘電液晶に代表されるメモリ性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリ駆動の薄型の液晶やＥＬ素子を用いてもよい。
【００２４】
図３には、本例に係るコンテンツ提供システムの機能的な構成を示してある。
管理装置３０は、ネットワークＮから入力されたコンテンツに送信制御処理を施してユーザデバイス５０へ送信するために、有線又は無線によるデータ通信を行う通信部３１、コンテンツをデバイス５０へ最適な態様で送信するための送信制御処理を行う送信制御部３２、ユーザデバイス５０から通知されたユーザＭやデバイス５０の状況を管理する状況管理部３３、送信制御部３２が参照するパターンテーブル３４を有している。
【００２５】
通信部３１は、ネットワークＮを介して、コンテンツの送受信やユーザデバイス５０から状況通知を受信する。
状況管理部３３は、ユーザデバイス５０から受信した状況通知を保持管理し、ユーザ毎に、ユーザ状況及び当該ユーザのユーザデバイスの種類や状況を最新のものに更新して管理する。
【００２６】
パターンテーブル３４には、送信制御部３２がコンテンツに対してどのような送信制御処理を行うかを決定するためのルールとなるパターン３４ａ、当該ルールの要素となるユーザ状況３４ｂ、デバイス状況３４ｃ、コンテンツ属性３４ｄが記録されている。
【００２７】
ユーザ状況３４ｂとしては、例えば図５に示すように、場所（電車中、会議室、個人のテーブル等）、動作（運転中、歩行中、就寝中等）、周囲状況（単独、回りに不特定多数の人が居る等）、ユーザの時間等と言ったユーザの状況に関する項目が判定要素として記録されている。
デバイス状況３４ｃとしては、例えば図５に示すように、場所（テーブルの上、かばんの中、ポケットの中、ユーザの手中等）、ユーザとの位置関係（ユーザとデバイスとの距離等）、他のデバイスとの位置関係（デバイス間の距離、デバイス間の位置関係）等と言ったユーザデバイスの状況に関する項目が判定要素として記録されている。
【００２８】
コンテンツ属性３４としては、例えば図５に示すように、重要度、緊急度、機密度、種別（カラー／モノクロ、動画／静止画、データ量、表示サイズ、データ形式等）、コンテンツ所有者、コンテンツ作成者、コンテンツ作成日時等と言ったコンテンツの属性に関する項目が判定要素として記録されている。
パターン３４ａは、これら判定要素の組み合わせにより、コンテンツをどの様に加工して、どの状況にあるどの種類のユーザデバイスに、どのタイミングで送信する送信するかのルールが記録されている。
なお、ユーザデバイス５０から通知されて状況管理部３３に記録される項目は、ユーザ状況３４ｂやデバイス状況３４ｃの項目と同じ項目である。
【００２９】
送信制御部３２は、状況管理部３３に記録れているユーザ状況やデバイス状況に基づいてパーン３４ａから該当するルールを特定し、当該ルールに応じた送信制御処理を行う。
送信制御部３２は、送信対象のコンテンツを、どのユーザデバイス５０に送信するかを決定するデバイス決定部３２ａ、分割や形式変換するコンテンツ加工部３２ｂ、送信時期や送信の可否を設定する送信規制部３２ｃを有している。
したがって、ユーザ状況やデバイス状況に基づいた送信制御部３２の送信制御処理により、例えば、送信対象のコンテンツが適切なユーザデバイス５０に送信され、また、送信対象のコンテンツが送信先のユーザデバイス５０の能力に適合した形式に変換されて送信され、また、送信対象のコンテンツが複数に分割されて適切なユーザデバイスに振り分けて送信され、また、送信対象のコンテンツが適切なタイミングでユーザデバイスに送信される。
【００３０】
一方、ユーザデバイス５０は、ネットワークＮを介して状況通知を管理装置３１へ送信し、また、管理装置からコンテンツを受信して出力するために、有線又は無線によるデータ通信を行う通信部５１、通知処理機能５２ａを備えた通信制御部５２、受信コンテンツの出力処理を行う出力処理部５３、受信コンテンツを表示出力する表示部５４、受信コンテンツの印刷出力やコンテンツ受信の報知出力等といったその他の方法の出力を行う出力部５５、ユーザ状況やデバイス状況等の入力をユーザＭから受け付ける操作部５６、ユーザ状況やデバイス状況を検出するセンサ５７を有している。
なお、ユーザデバイス５０はこれら機能部をパーソナルコンピュータＰＣ、プリンタＰＴ、電子ペーパーＥＰ、携帯電話ＰＦに備えることにより構成され、通信制御部５２はこれらデバイスのプロセッサ処理により構成される。
【００３１】
ここで、通知処理機能５２ａで処理されて通信部５１から管理装置３０へ送信される通知は上記状況管理部３３に記録される項目を含んでおり、これら通知項目は操作部５６からユーザ操作で入力され、また、センサ５７から自動検出で入力される。
例えば、図４（ａ）に示すように、ユーザＭが無線タグを装着しておいてセンサ５０が当該タグとの通信距離からユーザデバイス５０とユーザＭとの位置関係を検出することができる。また、例えば、図４（ａ）に示すように、複数のユーザデバイス５０が互いにセンサ５７で認識して、距離や上下関係等といった互いの位置関係を検出することができる。
【００３２】
本例のコンテンツ提供システムによると、次のようにしてコンテンツを適切な態様でユーザデバイス５０に送信して出力させることができる。
まず、ユーザＭがユーザデバイス５０の操作部５６から自己の状況や当該ユーザデバイス５０の状況を入力し、或いは、センサ５７からユーザＭの状況や当該ユーザデバイス５０の状況を検出して、これら状況を管理装置３０に通知する。
管理装置３０では、ユーザデバイス５０からの通知を受信して、通知に含まれるユーザ状況やデバイス状況を状況管理部３３に更新記録し、当該ユーザＭ及びユーザデバイス５０へ送信するコンテンツがネットワークＮから入力されるのに備える。
【００３３】
そして、管理装置３０は、仲介送信する対象のコンテンツが入力されると、送信制御部３２が状況管理部３３に記録された状況に基づいてパターンテーブル３４を参照して、当該コンテンツをユーザ状況やデバイス状況に適切な態様としてユーザデバイス５０へ転送送信する。すなわち、デバイス決定部３２ａが当該コンテンツを送信する１つ又は複数のユーザデバイス５０を決定し、コンテンツ加工部３２ｂが当該コンテンツを決定されたユーザデバイス５０に送信する態様に加工し、送信規制部３２ｃがコンテンツ送信のタイミングを決定して、決定されたユーザデバイス５０へ加工されたコンテンツを送信する。
【００３４】
例えば、図６に示すように、ユーザＭが携帯電話ＰＦをポケットに入れて携帯し、表示能力の高い電子ペーパーＥＰをかばんの中に入れて携帯している状況で、緊急性の高いコンテンツを送信する場合、コンテンツ中のタイトル６１と本文６２を分割し、タイトル６１は携帯電話ＰＦへ送信し、本文６２は電子ペーパーＥＰへ送信する送信制御処理を行う。
【００３５】
これにより、ユーザＭは、コンテンツを受信したことを携帯電話ＰＦの受信報知出力で即座に認識することができ、しかも、携帯電話ＰＦを操作してタイトルを読むことによりどのようなコンテンツであるかも即座に認識することができ、電子ペーパーＥＰを取り出して読むことによりコンテンツ内容を把握することができる。このような態様は、機密性の高いコンテンツの送信に際して、ユーザＭが電車内に居て周りに多くの人が居るような状況において効果的であり、コンテンツ本文６２を不注意に他人の目に晒してしまう事態を防止することができる。
【００３６】
このような送信制御処理は、ユーザ状況、デバイス状況、これら状況の組み合わせに応じて種々な態様でなされる。
例えば、ユーザＭが運転中であるユーザ状況の場合にはコンテンツをユーザデバイス５０へ送信しない、また、ユーザＭが会議室にいるユーザ状況の場合はプライベートなコンテンツは送信しない、また、ユーザＭが個人テーブルに居て周囲に人が居ないユーザ状況の場合は機密度の高いコンテンツを送信すると言った送信処理を行うこともできる。
【００３７】
また、例えば、電子ペーパＥＰが他の電子ペーパーＥＰと重ねられているデバイス状況の場合は上の電子ペーパーＥＰにコンテンツを送信してユーザＭの目につき易くする、また、かばんの中のユーザデバイス５０とユーザＭの手に持たれたユーザデバイス５０があるデバイス状況の場合はユーザＭの手に持たれたユーザデバイス５０に緊急度の高いコンテンツを送信する、また、２つのユーザデバイス５０のコンテンツ表示能力に差があるデバイス状況の場合はデータ量の大きいコンテンツは能力の高いユーザデバイス５０へ送信する、また、ユーザデバイス５０のコンテンツ表示能力が低いデバイス状況の場合はコンテンツ形式をデバイス能力に適合した形式に変換して送信すると言った送信処理を行うこともできる。
【００３８】
また、例えば、ユーザＭの周りに人が居て２つのユーザデバイス５０との距離に差があるユーザ状況とデバイス状況の場合は機密度や緊急度の高いコンテンツをユーザＭに近い方のユーザデバイス５０に送信する、また、ユーザＭが会議中で２つのユーザデバイス５０のコンテンツ受信能力が低いユーザ状況とデバイス状況の場合は緊急度の高いコンテンツを２つに分割して各ユーザデバイス５０へ送信すると言った送信処理を行うこともできる。
【図面の簡単な説明】
【００３９】
【図１】本発明の一例に係るコンテンツ提供システムの概容図である。
【図２】本発明の一例に係るユーザデバイスを説明する図である。
【図３】本発明の一例に係るコンテンツ提供システムの機能構成図である。
【図４】本発明の一例に係る位置関係検出を説明する図である。
【図５】本発明の一例に係る送信制御処理の方法決定を説明する図である。
【図６】本発明の一例に係るコンテンツ送信態様を説明する図である。
【図７】本発明の一例に係る電子ペーパーを示す図である。
【図８】本発明の一例に係る電子ペーパーの動作原理を説明する図である。
【図９】本発明の一例に係る電子ペーパーの構造を説明する図である。
【符号の説明】
【００４０】
ＥＰ：電子ペーパー、  ＰＣ：パーソナルコンピュータ、
ＰＦ：携帯電話、  ＰＴ：プリンタ、
Ｍ：ユーザ、  Ｎ：ネットワーク、
２：表示部、  ３：処理部、
４：ドライバ、  ５：無線通信部、
６：メモリ、  ７：プロセッサ、
８：バッテリ、  ９：操作部、
３０：管理装置、  ３１：通信部、
３２：送信制御部、  ３２ａ：デバイス決定部、
３２ｂ：コンテンツ加工部、  ３２ｃ：送信規制部、
３３：状況管理部、  ３４：パターンテーブル、
５０：ユーザデバイス、  ５１：通信部、
５２：通信制御部、  ５２ａ：通知処理部、
５３：出力処理部、  ５４：表示部、
５５：出力部、  ５６：操作部、
５７：センサ、
【図１】
2006065600.tif 000003
【図２】
2006065600.tif 000004
【図３】
2006065600.tif 000005
【図４】
2006065600.tif 000006
【図５】
2006065600.tif 000007
【図６】
2006065600.tif 000008
【図７】
2006065600.tif 000009
【図８】
2006065600.tif 000010
【図９】
2006065600.tif 000011